(57)【要約】【課題】  排出通路に放火対策を施してあり、かつ簡単な構成によって光の演出が行えるようにする。【解決手段】  遊技機は、遊技媒体Ｂを遊技者側に排出する排出通路１８とが形成されており、この排出通路１８の全長の内、少なくとも出口３０付近を形成する耐火部材と、耐火部材から手前側の遊技機の外壁１０ａを形成する透光部材３１と、耐火部材と透光部材との間に配設された発光手段３２と、を備え、発光手段が対向する耐火部材の面で光を反射するようにしてある。【選択図】      図４
2005270313.tif 000002
【特許請求の範囲】
【請求項１】
遊技媒体を遊技者側に排出する排出通路が形成された遊技機において、
前記排出通路の全長の内、少なくとも出口付近を形成する耐火部材と、
前記耐火部材から手前側の前記遊技機の外壁を形成する透光部材と、
前記耐火部材と前記透光部材との間に配設された発光手段と、を備え、
前記耐火部材が前記発光手段の光を反射するように構成されることを特徴とする遊技機。
【請求項２】
前記耐火部材が、ステンレス鋼部材であることを特徴とする請求項１に記載の遊技機。
【請求項３】
前記耐火部材が、光を反射する耐火粉、シール等の耐火材を内面に有する透光筒であることを特徴とする請求項１に記載の遊技機。
【請求項４】
前記遊技媒体が遊技球であり、    
前記排出通路が形成された前記遊技球を貯留する遊技球受け皿と、
前記遊技球受け皿に設けられた前記排出通路を開閉する開閉手段と、
前記遊技球受け皿の手前側外壁に設けられて前記開閉手段を作動する作動ボタンと、を備え、
前記作動ボタンが前記透光部材であることを特徴とする請求項１又は２に記載の遊技機。
【発明の詳細な説明】
【技術分野】
【０００１】
本発明は、パチンコ機、スロットマシン等の遊技機に関し、特に、遊技媒体を排出する排出通路を不正遊技者による放火に耐えられる構造にするとともに、その構造を利用して光の演出を行えるようにした遊技機に関する。
【背景技術】
【０００２】
従来、パチンコ機、スロットマシン等の遊技機は、パチンコ球、メダル等の遊技媒体を払い出す排出通路を備えている。排出通路には、賞球箱やメダル収容箱としての所謂ドル箱に遊技媒体を排出する通路と、大当たりや特別役に当選したときの賞品遊技媒体を払い出す通路とがある。
【０００３】
これらの排出通路は、複雑な形状をしている場合が多く、プラスチックの成型品に形成されていることが多い。
【０００４】
ところが、排出通路がプラスチックの成型品に形成されているため、遊技に負る等、満足できない遊技者の中には、腹いせに、排出通路にライタを挿入して着火し、排出通路を焦がして立ち去る者がいた。このため、このような不正行為に対処するため、放火対策を施した遊技機がある（例えば、特許文献１参照）。
【０００５】
一方、近年の遊技機では、大当たり時の演出等、楽しく遊技ができるように（遊技性を高めるため）光による演出が行われている。しかも、その光の演出が派手になりつつある。
【０００６】
【特許文献１】特開２００１−１４５７６６号公報
【発明の開示】
【発明が解決しようとする課題】
【０００７】
しかし、従来の遊技機は、光による演出のため、光演出用の光源や反射板等を特別に設けるため、構造が複雑になり、部品点数の増加に伴って、コストアップを招く等の問題を有していた。
【０００８】
そこで、排出通路に放火対策を施してあり、かつ簡単な構成によって光の演出が行える遊技機の出現が待たれていた。
【０００９】
本発明は、排出通路に放火対策を施し、その放火対策の構造を利用して光の演出が行える遊技機を提供することを目的としている。
【課題を解決するための手段】
【００１０】
請求項１に係る発明は、遊技媒体を遊技者側に排出する排出通路（１８）（１０３）が形成された遊技機において、前記排出通路（１８）（１０３）の全長の内、少なくとも出口（３０）（１０４）付近を形成する耐火部材と、前記耐火部材から手前側の前記遊技機の外壁（１０ａ）を形成する透光部材（３１）（１０６）と、前記耐火部材と前記透光部材との間に配設された発光手段（３２）（１０５）と、を備え、前記耐火部材が前記発光手段（３２）（１０５）の光を反射するように構成されることを特徴とする遊技機（１）（１０１）である。
【００１１】
請求項２に係る発明は、前記耐火部材が、ステンレス鋼部材であることを特徴とする請求項１に記載の遊技機（１）（１０１）である。
【００１２】
請求項３に係る発明は、前記耐火部材が、光を反射する耐火粉、シール等の耐火材を内面に有する透光筒であることを特徴とする請求項１に記載の遊技機（１）である。
【００１３】
請求項４に係る発明は、前記遊技媒体が遊技球（Ｂ）であり、前記排出通路（１８）が形成された前記遊技球を貯留する遊技球受け皿（８）と、前記遊技球受け皿（８）に設けられた前記排出通路（１８）を開閉する開閉手段（２０）と、前記遊技球受け皿（８）の手前側外壁（１０ａ）に設けられて前記開閉手段（２０）を作動する作動ボタン（２２）と、を備え、前記作動ボタン（２２）が前記透光部材であることを特徴とする請求項１又は２に記載の遊技機（１）である。
【００１４】
なお、上記カッコ内の符号は、図面と対照するためのものであるが、実施の形態との対応を容易にして、発明の理解を助ける便宜的なものであり、本願特許請求の範囲の記載に何ら影響を及ぼすものではない。
【発明の効果】
【００１５】
請求項１に記載の発明は、排出通路の全長の内、少なくとも出口付近を耐火部材で形成してあるので、放火による被害を少なくすることができる。また、発光手段に対向する耐火部材が光を反射して光量を増大して遊技者側に照射するようになっているので、耐火部材を利用して光の演出も行うことができて、遊技機の構造を簡単にすることができる。
【００１６】
請求項２に記載の発明は、耐火部材がステンレス鋼部材であるので、遊技媒体の排出による摩耗を少なくすることができる。また、排出通路が、大当たりや特別役に当選したときの賞品遊技媒体を払い出す通路の場合、ステンレス鋼部材に当たる遊技媒体の音によって、遊技の演出効果を高めることができる。さらに、ステンレス鋼部材は、特別にケアすることなく長期間光沢を保つことができるので、長期間光の演出をすることができる。
【００１７】
請求項３に記載の発明は、耐火部材が光を反射する金属粉、ガラス粉等を内面に有する透光筒であるので、発光手段の光が耐火粉で乱反射して、光の演出効果を高めることができる。
【００１８】
請求項４に記載の発明は、排出通路の開閉手段を開閉させる作動ボタンが透光部材であるので、作動ボタンの存在を遊技者に容易に知らせることができるとともに、遊技球受け皿の前面を明るくして、装飾性も向上させることができる。
【発明を実施するための最良の形態】
【００１９】
以下、本発明の実施形態の遊技機としてのパチンコ機を図に基づいて説明する。図１は、パチンコ機の正面概略図である。図２は、図１のパチンコ機における遊技球受け皿としての受け皿ユニットの正面図である。図３は、図２の受け皿ユニットの平面図である。（ａ）は、排出通路を閉じた図である。（ｂ）は、排出通路を開いた図である。図４は、受け皿ユニットの排出通路の部分断面図である。図５は、他の実施形態の排出通路の断面図であり、図４に相当する図である。
【００２０】
本パチンコ機１は、後述する発射ハンドル１７の操作による不図示の発射装置の作動で遊技媒体としての遊技球（所謂、パチンコ球）を遊技盤４上に打ち出しつつ遊技を行うもので、所謂確率変動等の大当たりが発生した状態で不図示のアタッカー（大入賞口）に入球した遊技球に対応する数の遊技球を払い出すように構成されている。上記確率変動（確変当たり）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２１】
本パチンコ機１は、枠状の筐体２と、遊技盤枠５と、前扉３とを備えている。なお、筐体２に、遊技盤枠５、前扉３とが重なっているため、図１には、前扉３と、遊技盤枠５の遊技盤４とを図示し、筐体２と遊技盤枠５は図示していない。遊技盤枠５は、遊技盤４を有して筐体２の前面を開閉するように筐体２に設けてある。遊技盤４の背部は、枠状の筐体２内に入り込んでいる。前扉３は、筐体２に遊技盤枠５を開閉自在に設けてある。前扉３は、遊技盤４を覆うガラス６を有して遊技盤４を開閉するように筐体２に設けたガラス枠７と、遊技盤枠５の下部を覆って開閉するように筐体２に設けた遊技球受け皿としての受け皿ユニット８等で構成されている。
【００２２】
遊技盤４には、不図示の、発射された遊技球を遊技領域へ案内するガイドレール、ＬＣＤ（Liquid Crystal Display）等からなり大当たり時の演出等のゲーム態様を表示する遊技表示装置、スタートチャッカー、大当たり発生時において所定回数の開閉動作を所定数入球する毎（又は所定時間経過する毎）に繰り返すアタッカー、入賞口、風車、及び障害釘等の遊技物を設けてある。
【００２３】
図１に示すように、受け皿ユニット８の本体１０の右側上部には、賞球及び貸球を含む遊技球が供給される球供給口１６を形成してある。受け皿ユニット８の右側下部には、遊技球を遊技盤４に向けて打ち出す発射装置を操作する発射ハンドル１７を設けてある。
【００２４】
図２、図３に示すように、受け皿ユニット８の本体１０の上部には、遊技球を貯留する貯留皿９を形成してある。貯留皿９には、遊技者が供給した遊技球や、賞球として球供給口１６から払い出された遊技球を貯留するようになっている。受け皿ユニット８の本体１０には、遊技球を排出する排出通路１８を設けてある。受け皿ユニット８の本体１０は、遊技キャラクタに合わせて凹凸形状になっているので、プラスチック成型品であることが多い。
【００２５】
排出通路１８の入口１９は、開閉手段としての開閉機構２０によって開閉されるようになっている。開閉機構２０は、一端を受け皿ユニット８に設けた支点軸２９に回転自在に設けられ、中間部を作動回転軸２１によって作動ボタンとしての球抜きボタン２２に回転自在に設けられた作動リンク２３と、受け皿ユニット８に設けられた従動回転軸２５と一体で、かつ作動リンク２３の他端に接触している従動リンク２４と、従動回転軸２５と一体で排出通路１８の入口１９を開閉する開閉板２６と、従動リンク２４を作動リンク２３の他端に圧接するとともに開閉板２６に入口１９を閉じる方向に付勢する付勢ばね２７等で構成されている。球抜きボタン２２は、復帰ばね２８によって手前側に付勢されている。
【００２６】
以上の構成において、遊技者が、図１に示す発射ハンドル１７を操作すると、貯留皿９に貯留された遊技球が不図示の発射装置によって、遊技盤４の盤面上に発射される。発射された遊技球は、アタッカーや、通常の入賞口に入球するか、あるいは、どこにも入球しないで不図示のアウト口にロス球として排出される。アタッカーや入賞口に入球する遊技球があると、そのアタッカーや入賞口に応じた数の遊技球が賞品球として、球供給口１６から貯留皿９に供給される。
【００２７】
遊技盤４に発射される遊技球の数よりも、球供給口１６から供給される遊技球の数の方が多い場合、遊技球が貯留皿９に溜まることになる。貯留皿９に溜まる遊技球の数が多くなると、遊技球が零れることになる。特に、上記特殊状態の大当たりのとき、遊技球が零れるおそれが大である。このような場合、貯留皿９に貯留している遊技球を排出通路１８から賞球箱（所謂、ドル箱）ＤＢ（図４参照）に排出する必要がある。
【００２８】
そこで、遊技者が、球抜きボタン２２を復帰ばね２８に抗して押すと、作動リンク２３が図３（ａ）において、反時計方向に回転し、従動リンク２４と開閉板２６とが時計方向に回転して、開閉板２６が排出通路の入口１９を開く。これによって、貯留皿９に貯留している遊技球が排出通路１９から賞球箱ＤＢに排出される。発射装置内にも遊技球が貯留している場合があり、受け皿ユニット８内の遊技球を完全に排出するには、完全排出ボタン３３を押すと、不図示の他の排出通路をへて、排出通路１８の出口３０から遊技球を排出することができる。
【００２９】
ところで、受け皿ユニット８が、プラスチック成型品であるため、遊技に負けた遊技者の中には、腹いせに、排出通路１８の出口３０から排出通路１８にライタを挿入して着火し、排出通路１８を焦がして立ち去る者がいる。
【００３０】
しかし、本実施形態のパチンコ機１における、排出通路１８は、耐火構造になっている。すなわち、排出通路１８は、耐火性の金属筒、例えば、ステンレス鋼等の鉄系合金製の金属筒で形成されているので、火による被害を被ることがない。
【００３１】
また、本実施形態のパチンコ機１は、排出通路１８を形成するステンレス鋼の光沢を利用して、光の演出を行えるようになっている。すなわち、ステンレス鋼製の排出通路１８に対向する受け皿ユニット本体１０の手前側（遊技者側）の外壁１０ａの一部分を透光部材３１で形成し、その透光部材３１と排出通路１８との間に電球、蛍光灯、ＬＥＤ等の光源３２を設けてある。排出通路１８は、光源３２を取り付けるためのブラケット代わりになっている。光源３２は、例えば、上記確立変動のとき、点灯、あるいは点滅するようになっている。なお、透光部材３１は、光を通す例えばプラスチック部材であるが、透光部材３１の外部から光源３２自体が見えない程度の透明度を備えているのが好ましい。
【００３２】
このような構成において、光源３２から発した光は、透光部材３１を通過して外部に放出されるか、ステンレス鋼製の排出通路１８の外周面に反射して透光部材３１を通過し、外部に放出される。したがって、ステンレス鋼製の排出通路１８の外周面１８ａが反射面の役目をするので、光源３２の光を有効に使用することができて、小さい光源で、より効果的な光の演出を行うことができる。
【００３３】
なお、排出通路１８は、プラスチック製の本体１０と一体に排出通路を成型し、その排出通路内面に、金属筒を設ける（一体成型によって設ける）か、耐火性でかつ光を反射するシールを貼り付けるか、あるいは耐火性でかつ光を反射する金属粉、ガラス粉等の耐火粉（耐火材）を吹き付けるかして形成してもよい。シール、耐火粉は、排出通路全長の内、少なくともライタの火が届く程度の範囲に設ければよい。また、シール、耐火粉を設けた排出通路の部分は、光を通す透光筒にしてある。
【００３４】
このような排出通路にすると、シート、耐火粉等によって放火による被害を防ぐことができる。また、光源３２の光が透光筒を通過してシート、耐火粉等によって乱反射するので、耐火構造を利用して光の演出を行うこともできる。
【００３５】
なお、図５に示すように、球抜きボタン２２を透光部材で形成し、その球抜きボタン２２の背後に光源３２を設けてもよい。この場合、受け皿ユニット８の上部に満杯センサ３４を設け、この満杯センサ３４が貯留皿９に貯留された遊技球が満杯になったことを検知し、光源３２を点灯、あるいは点滅させて、遊技者に球抜きボタン２２を押すように促してもよい。
【００３６】
さらに、図５に示すように、光源３２を排出通路１８から離して設けてもよい。この場合、反射光がより多くなり、遊技時の効果を一段と高めることができる。
【００３７】
以上説明したように、本実施形態のパチンコ機は、排出通路を耐火構造にしてあるので放火による被害を少なくすることができるとともに、耐火構造を利用して光の演出を行うこともできるようになっているので、構造を簡単にしてコストを下げることができる。
【００３８】
図６は、本発明を適用したスロットマシンの正面図である。遊技機としてのスロットマシン１０１も、遊技媒体としてのメダルを貯留するメダル受け皿１０２と、入賞メダルを排出案内する排出通路１０３と、排出通路１０３の出口であるメダル供給口１０４等を前面側に設けてある。スロットマシン１０１の外壁である前面部分１０７と排出通路１０３との間に光源１０５を設けてある。光源１０５に対向する前面部分１０７は、透光部材１０６で形成されている。
【００３９】
このスロットマシン１０１の排出通路１０３も、排出通路全長の内、少なくともライタの火が届く程度の範囲が耐火構造になっている。光源１０５が対向する排出通路１０３の外周面１０３ａは反射面になっている。
【００４０】
したがって、スロットマシン１０１は、排出通路を放火による被害を少なくすることができるとともに、耐火構造を利用して光の演出を行うこともできるようになっているので、構造を簡単にしてコストを下げることができる。
【図面の簡単な説明】
【００４１】
【図１】パチンコ機の正面概略図である。
【図２】図１のパチンコ機における遊技球受け皿としての受け皿ユニットの正面図である。
【図３】図２の受け皿ユニットの平面図である。（ａ）は、排出通路を閉じた図である。（ｂ）は、排出通路を開いた図である。
【図４】受け皿ユニットの排出通路の部分断面図である。
【図５】他の実施形態の排出通路の断面図であり、図４に相当する図である。
【図６】本発明を適用されたスロットマシンの正面図である。
【符号の説明】
【００４２】
Ｂ      パチンコ球（遊技媒体）
ＤＢ      遊技球箱（ドル箱）
１      パチンコ機（遊技機）
４      遊技盤
８      受け皿ユニット（遊技球受け皿）
９      貯留皿
１０      受け皿ユニットの本体
１０ａ    本体の手前側外壁（外壁）
１６      球供給口
１８      排出通路
１８ａ    外周面（反射面）
１９      排出通路の入口
２０      開閉機構（開閉手段）
２２      球抜きボタン（作動ボタン）
３０      排出通路の出口
３１      透光部材
３２      光源（発光手段）  
１０１      スロットマシン（遊技機）
１０２      メダル受け皿
１０３      排出通路
１０３ａ    排出通路の外周面（反射面）
１０４      メダル供給口（排出通路の出口）
１０５      光源（発光手段）
１０６      透光部材
１０７      前面部分（外壁）
【図１】
2005270313.tif 000003
【図２】
2005270313.tif 000004
【図３】
2005270313.tif 000005
【図４】
2005270313.tif 000006
【図５】
2005270313.tif 000007
【図６】
2005270313.tif 000008